(57)【要約】  【課題】  室内の居住空間の殺菌やリラクゼーション効果を迅速に得ることのできる空気清浄機を提供する。  【解決手段】  室内の空気を取り込んで送出する送風機２５と、空気中の塵埃を捕集する空気清浄用フィルターユニット２０と、空気清浄用フィルターユニット２０を通過した空気にイオンを放出するイオン発生装置２６と、空気清浄用フィルターユニット２０を通過した空気を上方に向けて吹出す第１吹出口２９と、空気清浄用フィルターユニット２０を通過した空気を前方に向けて吹出す第２吹出口３０と、前方に人がいるかいないかを感知する人体センサー４１とを備え、前方に人がいない場合に第１吹出口２９からイオンを送出し、前方に人がいる場合に第２吹出口３０からイオンを送出した。【選択図】      図２
2006046729.tif 000002
【特許請求の範囲】
【請求項１】
室内の空気を取り込んで送出する送風機と、空気中の塵埃を捕集するフィルターと、前記フィルターを通過した空気にイオンを放出するイオン発生装置と、前記フィルターを通過した空気を上方に向けて吹出す第１吹出口と、前記フィルターを通過した空気を前方に向けて吹出す第２吹出口とを備えたことを特徴とする空気清浄機。
【請求項２】
イオン発生装置からプラスイオンとマイナスイオンとを放出するモードと、マイナスイオンのみを放出するモードとを択一的に切り替えできることを特徴とする請求項１に記載の空気清浄機。
【請求項３】
前記フィルターを通過した空気を第１吹出口と第２吹出口とに切り替えて導くダンパーを設けたことを特徴とする請求項１または請求項２に記載の空気清浄機。
【請求項４】
人の存在を感知する人体センサーを備え、前方に人がいる時に第１吹出口のみから空気を送出するとともに、前方に人がいない時に第２吹出口から空気を送出したことを特徴とする請求項１〜請求項３のいずれかに記載の空気清浄機。
【請求項５】
空気中の臭い成分量を検知する臭いセンサーと、空気中の塵埃量を検知する埃センサーとを備え、室内の臭い成分量または塵埃量が所定量よりも多い時にプラスイオンとマイナスイオンを同時に室内に送出するとともに、室内の臭い成分量及び塵埃量が該所定量よりも少ない時にマイナスイオンのみを室内に送出したことを特徴とする請求項４に記載の空気清浄機。
【請求項６】
空気中の臭い成分量を検知する臭いセンサーを備え、室内の臭い成分量が所定量よりも多い時にプラスイオンとマイナスイオンを同時に室内に送出するとともに、室内の臭い成分量が該所定量よりも少ない時にマイナスイオンのみを室内に送出したことを特徴とする請求項４に記載の空気清浄機。
【請求項７】
空気中の塵埃量を検知する埃センサーを備え、室内の塵埃量が所定量よりも多い時にプラスイオンとマイナスイオンを同時に室内に送出するとともに、室内の塵埃量が該所定量よりも少ない時にマイナスイオンのみを室内に送出したことを特徴とする請求項４に記載の空気清浄機。
【請求項８】
運転開始後、所定期間が経過するまでの間は、人の存在に拘わらず第１、第２吹出口両方から空気を吹出すとともに、室内の臭い成分量及び室内の塵埃量に拘わらずプラスイオンとマイナスイオンを同時に室内に送出することを特徴とする請求項５〜請求項７のいずれかに記載の空気清浄機。
【発明の詳細な説明】
【技術分野】
【０００１】
本発明は、室内の空気を取り込んで清浄化する空気清浄機に関し、特に清浄化した空気とともにイオンを送出する空気清浄機に関する。
【背景技術】
【０００２】
従来の空気清浄機は特許文献１に開示されている。この空気清浄機はハウジングの前面に吸気口を備え、背面に吹出口を備えている。ハウジング内には送風機が配され、送風機と吸気口との間に塵埃を捕集するフィルターが設けられている。また、吹出口の近傍にはプラスイオンとマイナスイオンを放出するイオン発生装置が設けられている。
【０００３】
送風機を駆動すると前方から吸気口を介してハウジング内に取り込まれた室内の空気はフィルターにより塵埃が除去され、イオン発生装置から放出されるイオンを含んで吹出口上方に向けて送出される。これにより、イオンを含む清浄化された空気が室内を大きく循環して隅々に行き渡る。
【０００４】
プラスイオンとマイナスイオンは室内のカビ菌やウィルス等の浮遊菌や臭い成分を取り囲んで破壊する。これにより、室内の空気を清浄化するとともに殺菌や臭い除去を行うことができるようになっている。
【０００５】
また、ユーザによる運転モードの切り替えによってマイナスイオンのみを室内に送出することによりリラクゼーション効果を得ることができる。
【特許文献１】特開２００２−１０２３２７号公報（第４頁−第１０頁、第８図）
【発明の開示】
【発明が解決しようとする課題】
【０００６】
上記従来の空気清浄機によると、吹出口から上方に向けて空気とともに送出されるイオンは室内の壁面に沿って大きく循環する。このため、室内全体にイオンが行き渡り、殺菌、臭い除去、リラクゼーション効果を得ることができる。しかしながら、室内の略中央部分の人が居住する居住空間に対してイオンが迅速に行き渡らず、快適な居住空間を迅速に得ることができない問題があった。また、プラスイオンとマイナスイオンを送出する運転モードとマイナスイオンを送出する運転モードをとユーザ操作により切り替えるため煩雑な操作を必要とし、より使いやすい空気清浄機が求められている。
【０００７】
本発明は、室内の居住空間の殺菌やリラクゼーション効果を迅速に得ることのできる空気清浄機を提供することを目的とする。また本発明は、使いやすさを向上できる空気清浄機を提供することを目的とする。
【課題を解決するための手段】
【０００８】
上記目的を達成するために本発明は、室内の空気を取り込んで送出する送風機と、空気中の塵埃を捕集するフィルターと、前記フィルターを通過した空気にイオンを放出するイオン発生装置と、前記フィルターを通過した空気を上方に向けて吹出す第１吹出口と、前記フィルターを通過した空気を前方に向けて吹出す第２吹出口とを備えたことを特徴としている。
【０００９】
この構成によると、送風機の駆動によって吸気口から取り込まれた空気はフィルターにより塵埃を除去される。イオン発生装置により放出されたイオンが塵埃を除去した空気に含まれ、第１、第２吹出口の一方または両方から室内に送出される。第１吹出口から送出される空気は室内略中央の居住空間に導かれる。第２吹出口から送出される空気は室内の壁面に沿って大きく循環する。
【００１０】
また本発明は、上記構成の空気清浄機において、イオン発生装置からプラスイオンとマイナスイオンとを放出するモードと、マイナスイオンのみを放出するモードとを択一的に切り替えできることを特徴としている。この構成によると、室内にプラスイオンとマイナスイオンとを同時に送出すると、室内の浮遊菌や臭い成分を取り囲んで破壊し、殺菌や臭い除去の効果が得られる。また、室内にマイナスイオンのみを送出するとリラクゼーション効果を得ることができる。
【００１１】
また本発明は、上記構成の空気清浄機において、前記フィルターを通過した空気を第１吹出口と第２吹出口とに切り替えて導くダンパーを設けたことを特徴としている。この構成によると、清浄化した空気及びイオンは第１吹出口から送出され、ダンパーの切り替えによって第２吹出口から送出される。
【００１２】
また本発明は、上記構成の空気清浄機において、人の存在を感知する人体センサーを備え、前方に人がいる時に第１吹出口のみから空気を送出するとともに、前方に人がいない時に第２吹出口から空気を送出したことを特徴としている。この構成によると、人体センサーが空気清浄機の前方に人がいることを検知すると第１吹出口のみから空気及びイオンを送出する。人体センサーが空気清浄機の前方に人がいることを検知しない場合は第２吹出口から空気及びイオンを送出する。この時、第１吹出口からも空気及びイオンを送出してもよい。
【００１３】
また本発明は、上記構成の空気清浄機において、空気中の臭い成分量を検知する臭いセンサーと、空気中の塵埃量を検知する埃センサーとを備え、室内の臭い成分量または塵埃量が所定量よりも多い時にプラスイオンとマイナスイオンを同時に室内に送出するとともに、室内の臭い成分量及び塵埃量が該所定量よりも少ない時にマイナスイオンのみを室内に送出したことを特徴としている。
【００１４】
この構成によると、臭いセンサーによって室内の臭い成分量が所定量よりも多いと検知した場合または埃センサーによって室内の塵埃量が所定量よりも多いと検知した場合には第１、第２吹出口の一方または両方からプラスイオンとマイナスイオンとが送出される。これにより室内の殺菌及び臭い除去が行われる。臭いセンサーによって室内の臭い成分量が所定量よりも少ないと検知し、且つ埃センサーによって室内の塵埃量が所定量よりも少ないと検知した場合には第１、第２吹出口の一方または両方からマイナスイオンのみ送出される。これにより室内のリラクゼーション効果が得られる。
【００１５】
また本発明は、上記構成の空気清浄機において、空気中の臭い成分量を検知する臭いセンサーを備え、室内の臭い成分量が所定量よりも多い時にプラスイオンとマイナスイオンを同時に室内に送出するとともに、室内の臭い成分量が該所定量よりも少ない時にマイナスイオンのみを室内に送出したことを特徴としている。
【００１６】
この構成によると、臭いセンサーによって室内の臭い成分量が所定量よりも多いと検知したには第１、第２吹出口の一方または両方からプラスイオンとマイナスイオンとが送出される。臭いセンサーによって室内の臭い成分量が所定量よりも少ないと検知した場合には第１、第２吹出口の一方または両方からマイナスイオンのみ送出される。
【００１７】
また本発明は、上記構成の空気清浄機において、空気中の塵埃量を検知する埃センサーを備え、室内の塵埃量が所定量よりも多い時にプラスイオンとマイナスイオンを同時に室内に送出するとともに、室内の塵埃量が該所定量よりも少ない時にマイナスイオンのみを室内に送出したことを特徴としている。
【００１８】
この構成によると、埃センサーによって室内の塵埃量が所定量よりも多いと検知したには第１、第２吹出口の一方または両方からプラスイオンとマイナスイオンとが送出される。埃センサーによって室内の塵埃量が所定量よりも少ないと検知した場合には第１、第２吹出口の一方または両方からマイナスイオンのみ送出される。
【００１９】
また本発明は、上記構成の空気清浄機において、運転開始後、所定期間が経過するまでの間は、人の存在に拘わらず第１、第２吹出口両方から空気を吹出すとともに、室内の臭い成分量及び室内の塵埃量に拘わらずプラスイオンとマイナスイオンを同時に室内に送出することを特徴としている。この構成によると、運転開始直後は第１、第２吹出口からプラスイオンとマイナスイオンとが送出され、所定時間が経過すると人体センサー、埃センサー、臭いセンサー等の検知結果に応じて吹出し方向及びイオンの種類が可変される。
【発明の効果】
【００２０】
本発明によると、空気を上方に向けて吹出す第１吹出口と、前方に向けて吹出す第２吹出口とを備えたので、室内略中央の居住空間に人がいる時は第２吹出口からイオンを含む空気を送出することによって居住空間に迅速にイオンを行き渡らせることができる。また、第１吹出口からイオンを含む空気を送出することによって室内全体にイオンを行き渡らせることができる。これにより、快適な居住空間を迅速に得ることができる。
【００２１】
また本発明によると、イオン発生装置からプラスイオンとマイナスイオンとを放出するモードと、マイナスイオンのみを放出するモードとを択一的に切り替えできるので、居住空間の迅速な殺菌、臭い除去ができるとともに、迅速にリラクゼーションの効果を得ることができる。
【００２２】
また本発明によると、フィルターを通過した空気を第１吹出口と第２吹出口とに択一的に導くダンパーを設けたので、前方と上方に容易に切り替えて空気を送出することができる。
【００２３】
また本発明によると、人の存在を感知する人体センサーを前面に備え、前方に人がいる時に第１吹出口のみから空気を送出するとともに、前方に人がいない時に第２吹出口から空気を送出したので、居住空間に人がいる時は居住空間に迅速にイオンが行き渡り、居住空間に人がいない時は室内全体にイオンが行き渡る。従って、空気の吹出し方向を切り替える操作を必要とせず、使いやすい空気清浄機を得ることができる。
【００２４】
また本発明によると、空気中の臭い成分量を検知する臭いセンサーと、空気中の塵埃量を検知する埃センサーとを備え、室内の臭い成分量または塵埃量が所定量よりも多い時にプラスイオンとマイナスイオンを同時に室内に送出するとともに、室内の臭い成分量及び塵埃量が該所定量よりも少ない時にマイナスイオンのみを室内に送出したので、臭い成分や塵埃が多い時は殺菌及び臭い除去を行い、臭い成分や塵埃が減少して殺菌等が不要になるとリラクゼーション効果を得ることができる。従って、イオンの異なる各モードを切り替える操作を必要とせず、使いやすい空気清浄機を得ることができる。
【００２５】
また本発明によると、空気中の臭い成分量を検知する臭いセンサーを備え、室内の臭い成分量が所定量よりも多い時にプラスイオンとマイナスイオンを同時に室内に送出するとともに、室内の臭い成分量が該所定量よりも少ない時にマイナスイオンのみを室内に送出したので、臭い成分が多い時は臭い除去を行い、臭い成分が減少して臭い除去が不要になるとリラクゼーション効果を得ることができる。従って、イオンの異なる各モードを切り替える操作を必要とせず、使いやすい空気清浄機を得ることができる。
【００２６】
また本発明によると、空気中の塵埃量を検知する埃センサーを備え、室内の塵埃量が所定量よりも多い時にプラスイオンとマイナスイオンを同時に室内に送出するとともに、室内の塵埃量が該所定量よりも少ない時にマイナスイオンのみを室内に送出したので、塵埃が多い時は殺菌を行い、塵埃が減少して殺菌が不要になるとリラクゼーション効果を得ることができる。従って、イオンの異なる各モードを切り替える操作を必要とせず、使いやすい空気清浄機を得ることができる。
【００２７】
また本発明によると、運転開始直後は空気調和機の前方に人がいても第１、第２吹出口からプラスイオンとマイナスイオンとが送出されるので、居室空間及び室内周辺部を含む室内全体の殺菌及び臭い除去を迅速に行うことができる。
【発明を実施するための最良の形態】
【００２８】
以下に本発明の実施形態を図面を参照して説明する。図１は一実施形態の空気清浄機を示す斜視図である。空気清浄機１はベース１１の支持により本体部１０が立設されている。本体部１０の前面は前面パネル１２により覆われている。前面パネル１２には室内の空気を取り込む吸気口１３が設けられるとともに、本体部１０と前面パネル１２との隙間により側面吸気口１４が形成されている。本体部１０の上部にはユーザ操作を行う操作パネル１５が設けられる。
【００２９】
図２は空気清浄機１の前面パネル１２を取り外した状態を示す側面断面図である。本体部１０内には軸方向に吸気して周方向に排気する送風機２５が設けられる。送風機２５は吸気側が吸気口１３に面して配され、通気口２７を有する通気パネル２８により前面が覆われる。通気パネル２８によって本体部１０の後部には上下に延びる通風路３１が形成される。
【００３０】
通風路３１は上方に向けて開口する第１吹出口２９が設けられるとともに、斜め上方に屈曲して前方に開口する第２吹出口３０が設けられる。また、通風路３１の経路途中にはンパー３３が設けられる。ダンパー３３によって、吹出し方向を第１吹出口２９からのみ空気を吹出す場合、第２吹出口３０からのみ空気を吹出す場合、第１、第２吹出口２９、３０の両方から空気を吹出す場合に切り替えることができるようになっている。
【００３１】
送風機２５と吹出口２９との間にはイオン発生装置２６が設けられている。図３に示すように、イオン発生装置２６は高圧電圧の印加によりイオンを発生する電極から成るイオン発生面２６ａを有し、イオン発生面２６ａが通風路３１に面して配されている。イオン発生装置２６を吹出口２９と送風機２５との間に配置することにより送風機２５との衝突によるイオンの消滅を防止することができる。また、イオンを発生する電極を通風路３１に配置してイオン発生装置２６の電源部等を別の位置に配置してもよい。
【００３２】
イオン発生装置２６のイオン発生面２６ａには交流波形またはインパルス波形から成る電圧が印加される。イオン発生面２６ａの印加電圧が正電圧の場合は主としてＨ+（Ｈ2Ｏ）nから成るプラスイオンを発生し、負電圧の場合は主としてＯ2-（Ｈ2Ｏ）mから成るマイナスイオンを発生する。ここで、ｎ、ｍは整数である。Ｈ+（Ｈ2Ｏ）n及びＯ2-（Ｈ2Ｏ）mは空気中の浮遊菌や臭い成分の表面で凝集してこれらを取り囲む。
【００３３】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｎ’、ｍ’は整数である。従って、プラスイオン及びマイナスイオンを発生して第１、第２吹出口２９、３０から送出することにより室内の殺菌及び臭い除去を行うことができる。
【００３４】
Ｈ+（Ｈ2Ｏ）n＋Ｏ2-（Ｈ2Ｏ）m→・ＯＨ＋1/2Ｏ2＋（ｎ＋ｍ）Ｈ2Ｏ  ・・・（１）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →2・ＯＨ＋Ｏ2＋（ｎ＋ｎ’＋ｍ＋ｍ’）Ｈ2Ｏ  ・・・（２）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →Ｈ2Ｏ2＋Ｏ2＋（ｎ＋ｎ’＋ｍ＋ｍ’）Ｈ2Ｏ  ・・・（３）
【００３５】
前面パネル１２と通気パネル２８との間には空気清浄用フィルターユニット２０及び加湿部２１が配される。吸気口１３(図１参照)に面して配される空気清浄用フィルターユニット２０は、空気清浄機に組み込むものとして設計されている。図９は空気清浄用フィルターユニット２０の分解斜視図を示している。
【００３６】
空気清浄用フィルターユニット２０は枠体５６内に空気の吸込み側から順にプレフィルター５２、脱臭フィルター５４、集塵フィルター５５の３種類のフィルターが配設されている。プレフィルター５２と脱臭フィルター５４との間にはフィルター押え５３が配されている。
【００３７】
図１０はプレフィルター５２を示す斜視図である。プレフィルター５２はＡＢＳ等の合成樹脂で形成された４段４列の窓を有する矩形の枠６１にポリプロピレン製のメッシュ６２を溶着して形成されている。枠６１の両側面には２個づつの突起部６３が設けられ、正面につまみ６４が突設されている。プレフィルター５２によって吸気中の大きな塵埃を捕集することができる。
【００３８】
図１１、図１２は脱臭フィルター５４の斜視図及び側面図を示している。脱臭フィルター５４はポリプロピレン繊維やポリエステル繊維から成る矩形の袋体４１を有している。袋体４１は上下方向に連続した大きさが均等な複数の収納室４２に区分けされている。各収納室４２内には活性炭等の吸着材１８（図１３参照）が均一に分散して詰められている。これにより、各収納室４２が膨らんで脱臭フィルター５４は表面に凹凸が形成される。尚、収納室４２の数は特に限定されない。吸着材１８として、やしがら系、石炭ピッチ系、ポリアクリロニトリル系、セルロース系等の活性炭等を用いることができる。
【００３９】
図１３は脱臭フィルター５４の側面断面図を示している。各収納室４２は袋体４１の表面側と裏面側とを縫い合わせて形成される。この時、縫い目６７が傾斜するように縫い合わされる。脱臭フィルター５４の装着状態では各収納室４２に詰められた吸着材６８が自重で下降し、各収納室４２の上部に空間部４２ａが形成される。この時、縫い目６７が傾斜しているため各収納室４２の上方の収納室４２の下部に吸着材１８が詰められる。
【００４０】
これにより、脱臭フィルター５４に入った空気は、矢印αで示すように、必ず吸着材１８と接触しながら通過して放出され、脱臭効果が向上する。また、袋体４１を一列配置するだけでよく、脱臭フィルター５４の薄型化を図ることができる。
【００４１】
図１４は集塵フィルター５５の斜視図を示している。集塵フィルター５５はＨＥＰＡフィルターから成り、濾材（不図示）を覆うように枠材（不図示）がホットメルトにより溶着されている。濾材はポリエステル／ビニロン系の不織布から成る骨材とメルトブロー不織布とを重ね合わせ、折り畳んで構成される。メルトブロー不織布として電石加工された東レ株式会社製トレミクロン(登録商標)が用いられる。また、濾材の表面にはハイドロキシアパタイト加工した不織布から成る抗菌シートが重ねて熱圧着されている。集塵フィルター５５によって微細な塵埃を捕集する。
【００４２】
図１５はフィルター押さえ枠５３を脱臭フィルター５４の側から見た斜視図である。フィルター押さえ枠５３は矩形の枠６４に空気の流入が可能な複数段複数列の角孔６５を有している。角孔６５の高さは脱臭フィルター５４の表面の凹凸に合わせて設定されている。
【００４３】
また、風下側の脱臭フィルター５４に対向する面には、各角孔６５の間に桟状の突起部６６が設けられている。突起部６６は横幅がフィルター押さえ枠５３の横幅と同じであり、脱臭フィルター５４に向かって水平方向に突出している。突起部６６により脱臭フィルター５４を押さえて位置ずれを防止するようになっている。尚、突起部６６は必ずしも桟状である必要はなく、ピン等の突起であってもよい。
【００４４】
図１６は枠体６１の斜視図を示している。枠体６１は、風上側の面が開放された箱体７１から成り、風下側の面には格子枠７３により空気の流入が可能な角孔７２が形成されている。枠体６１の厚さは集塵フィルター５５、脱臭フィルター５４、フィルター押さえ枠５３及びプレフィルター５２が収納可能な厚さになっている。箱体７１の両側面には両側面には２個づつの係止穴７４が設けられる。図１７に示すように、プレフィルター５２の突起部６３が係止孔７４に嵌合して、内部の脱臭フィルター５４等が脱落することなく、空気清浄用フィルターユニット２０が一体に形成される。
【００４５】
空気清浄用フィルターユニット２０と通気パネル２８との間には所定幅の空間部３２が形成されている。空間部３２を設けることにより空気清浄用フィルターユニット２０を通過した空気が通気口２７にスムーズに流入し、圧力損失及び騒音を低減できるようになっている。
【００４６】
空間部３２の下部に配置される加湿部２１は加湿フィルター２２、トレイ２３及び水タンク２４(図１参照)により構成されている。水タンク２４は加湿用の水が貯水され、本体部１０の側部に着脱可能に立設されている。トレイ２３は水タンク２４に接続され、タンクから供給される水をためる。加湿フィルター２２はトレイ２３に浸漬される吸水性を有した吸水材から成り、前後方向にジグザグに折曲した屏風状に形成されている。これにより、加湿フィルター２２はトレイ２３内の水を吸い上げて保水する。
【００４７】
図４は空気清浄機１の構成を示すブロック図である。空気清浄機１は各部を制御する制御部４０が操作パネル１５(図１参照)の背面側に設けられる。制御部４０には、操作パネル１５の前面側に設けられた人体センサー４１、埃センサー４２及び臭いセンサー４３が接続されている。
【００４８】
人体センサー４１は空気清浄機１の前方に人がいるか否かを感知する。埃センサー４２は室内の塵埃の量が所定量よりも多いか少ないかを検知する。臭いセンサー４３は室内の臭い成分の量が所定量よりも多いか少ないかを検知する。また、送風機２５、イオン発生装置２６及びダンパー３３が制御部４０の制御により駆動される。
【００４９】
図５は上記構成の空気調和機１の動作を示すフローチャートである。空気調和機１が駆動されるとステップ＃１１で送風機２５がＯＮになり、ステップ＃１２でダンパ３３によって第１、第２吹出口２９、３０の両方に向かって通風路３１が開放される。ステップ＃１３ではイオン発生装置２６によってプラスイオンとマイナスイオンとが放出される。
【００５０】
これにより、吸気口１３から本体部１０内に室内の空気が取り込まれる。吸気口１３から取り込まれた空気は矢印Ａ（図２参照）に示すように空気清浄用フィルターユニット２０を通過して塵埃が捕集され、ウィルスやアレルゲンが不活化される。空気清浄用フィルターユニット２０を通過した空気は通気口２７を介して通風路３１に流入する。
【００５１】
また、空気清浄用フィルターユニット２０を通過した下方の空気は加湿フィルター２２に衝突し、加湿フィルター２２の背面側が遮蔽されるため吸水材の折曲された壁面に沿って矢印Ｂ（図２参照）に示すように上昇する。この時、加湿フィルター２２に保水された水分が上昇する空気内に取り込まれ、加湿された空気が通気口２７を介して通風路３１に流入する。通風路３１を流通する空気はイオン発生装置２６から放出されるプラスイオン及びマイナスイオンを含み、第１、第２吹出口２９、３０から室内に送出される。
【００５２】
これにより、図６に示すように、第１吹出口２９から送出された空気は矢印Ｃに示すように室内Ｒの壁面に沿って流通し、プラスイオン及びマイナスイオンが室内Ｒの全体に行き渡る。また、第２吹出口３０から送出された空気は矢印Ｄに示すように室内Ｒの略中央付近の居住空間にプラスイオン及びマイナスイオンを導く。従って、空気調和機１の運転開始直後には室内Ｒの周辺部及び居住空間を含む室内Ｒ全体にプラスイオン及びマイナスイオンが行き渡る。これにより、塵埃に付いて室内を浮遊する浮遊菌の殺菌や室内の臭い除去を迅速に行うことができる。
【００５３】
ステップ＃１４では終了操作が行われた否かが判断される。終了操作が行われた場合は終了する。ステップ＃１５では運転開始から所定時間が経過したか否かが判断される。所定時間が経過しない場合はステップ＃１４に戻り、所定時間が経過するまでステップ＃１４、＃１５を行って待機する。
【００５４】
所定時間が経過すると、ステップ＃２１に移行し、人体センサー４１の感知により空気清浄機１の前方に人がいるかいないかが判断される。空気清浄機１の前方に人がいない場合はステップ＃２２に移行し、人がいる場合はステップ＃２３に移行する。ステップ＃２２では、ダンパー３３の切り替えによって第２吹出口３０に向かう通風路３１が閉じられ、第１吹出口２９に向かう通風路のみが開放される。これにより、図７に示すように、空気清浄機１から上方にのみ空気が送出され、矢印Ｃに示すように室内を循環してイオンが室内Ｒの全体に行き渡る。
【００５５】
ステップ＃２３では、ダンパー３３の切り替えによって第１吹出口２９に向かう通風路３１が閉じられ、第２吹出口３０に向かう通風路のみが開放される。これにより、図８に示すように、空気清浄機１から前方にのみ空気が送出され、矢印Ｄに示すようにイオンが室内Ｒの略中央の居住空間に迅速に行き渡る。尚、ステップ＃２１〜＃２３により、ユーザ操作することなく空気の吹出し方向を自動的に可変する風向可変手段が構成され、使いやすい空気調和機１が得られる。
【００５６】
ステップ＃２４では埃センサー４２の検知によって室内の塵埃の量が所定量よりも多いか少ないかが判断される。室内の塵埃の量が所定量よりも多い場合はステップ＃２７に移行し、少ない場合はステップ＃２５に移行する。ステップ＃２５では臭いセンサー４３の検知によって室内の臭い成分の量が所定量よりも多いか少ないかが判断される。室内の臭い成分の量が所定量よりも多い場合はステップ＃２７に移行し、少ない場合はステップ＃２６に移行する。
【００５７】
ステップ＃２７では室内の塵埃の量及び臭い成分の量の少なくとも一方が多いため、プラスイオンとマイナスイオンとをイオン発生装置２６により発生する。これにより、塵埃に付いて室内を浮遊する浮遊菌を殺菌するとともに室内の臭い除去が行われる。
【００５８】
ステップ＃２６では室内の塵埃の量及び臭い成分の量が少ないため、殺菌や臭い除去の必要ない。このため、マイナスイオンのみをイオン発生装置２６により発生する。これにより、リラクゼーション効果を得ることができる。尚、ステップ＃２４〜＃２７によって、異なったイオンを送出する各モードをユーザ操作することなく自動的に切り換えるモード切換手段が構成され、使いやすい空気調和機１が得られる。
【００５９】
イオンを含む空気は加湿部２１で加湿されているため、イオンが水分子に周辺部が取り囲まれて保護される。このため、空気中のカビ菌やウィルス等の浮遊菌や臭い成分にイオンが衝突してこれらを取り囲む度合が高くなる。また、空気中の塵埃にイオンが衝突した際にイオンが水分子に保護されているため寿命時間が長くなる。イオン同士が衝突した場合も水分子に保護されているためイオンの消滅が低減される。従って、室内の浮遊菌や臭い成分を迅速に除去することができるとともに、室内に送出されるイオンが隅々まで行き渡ってイオンの分布が均一になる。
【００６０】
また、マイナスイオンのみを室内に送出する際も同様にイオンが水分に取り囲まれ、塵埃との衝突によるイオンの消滅が低減される。従って、リラクゼーション効果を効率よく迅速に得ることができる。
【００６１】
ステップ＃２８では終了操作が行われたか否かが判断され、終了操作が行われた場合は終了する。終了操作が行われない場合はステップ＃２１に戻り、ステップ＃２１〜＃２８が繰り返し行われる。
【００６２】
本実施形態によると、空気清浄機１の前方に人がいる時に第２吹出口３０から前方にのみ空気を送出するので、プラスイオンとマイナスイオンとを送出することにより空気清浄機１の前方の居住空間の殺菌及び臭い除去を迅速に行うことができる。また、マイナスイオンのみを送出することにより居住空間のリラクゼーション効果を迅速に得ることができる。これにより、人のいる居住空間を迅速に快適な空間にすることができる。尚、第１、第２吹出口２９、３０から同時に空気を吹出すことによりイオンが居住空間全体に届くために迅速に快適空間を得ることができる。
【００６３】
また、空気清浄機１の前方に人がいない時に第１吹出口２９から上方に空気を送出するので、プラスイオンとマイナスイオンとを送出することにより室内全体の殺菌及び臭い除去を行うことができる。また、マイナスイオンのみを送出することにより室内全体のリラクゼーション効果を得ることができる。
【００６４】
尚、ステップ＃２３において第１、第２吹出口２９、３０から空気を送出してもよい。これにより、室内の全体に迅速にイオンを行き渡らせることができる。この時、第１吹出口２９のみから空気を送出する場合の方が上方へのイオンの送出量が多くなるため、より隅々までイオンが行き渡る。
【００６５】
また、運転開始直後は電源投入等により空気調和機の前方に人がいても第１、第２吹出口２９、３０から空気を送出する。これにより、室内の全体に迅速にプラスイオン及びマイナスイオンを行き渡らせて殺菌及び臭い除去を行い、快適な室内を迅速に得ることができる。
【００６６】
本実施形態において、埃センサー４２及び臭いセンサー４３の検知結果に応じて発生するイオンの種類が決められるが、いずれか一方のセンサーを省き、他方のセンサーの検知結果に応じて発生するイオンの種類を決めてもよい。この場合、例えば室内の塵埃量が少ない場合にマイナスイオンのみが室内に送出される。また、室内の臭い成分の量が少ない場合にマイナスイオンのみが室内に送出される。
【産業上の利用可能性】
【００６７】
本発明によると、フィルターを有して塵埃を捕集し、室内にイオンを送出する空気清浄機、空気調和機に利用することができる。
【図面の簡単な説明】
【００６８】
【図１】本発明の実施形態の空気清浄機を示す斜視図
【図２】本発明の実施形態の空気清浄機を示す側面断面図
【図３】本発明の実施形態の空気清浄機のイオン発生装置を示す斜視図
【図４】本発明の実施形態の空気清浄機の構成を示すブロック図
【図５】本発明の実施形態の空気清浄機の動作を示すフローチャート
【図６】本発明の実施形態の空気清浄機による室内の空気の流れを説明する図
【図７】本発明の実施形態の空気清浄機による室内の空気の流れを説明する図
【図８】本発明の実施形態の空気清浄機による室内の空気の流れを説明する図
【図９】本発明の実施形態の空気清浄機の空気清浄用フィルターユニットを示す分解斜視図
【図１０】本発明の実施形態の空気清浄機のプレフィルターを示す斜視図
【図１１】本発明の実施形態の空気清浄機の脱臭フィルターを示す斜視図
【図１２】本発明の実施形態の空気清浄機の脱臭フィルターを示す側面図
【図１３】本発明の実施形態の空気清浄機の脱臭フィルターを示す側面断面図
【図１４】本発明の実施形態の空気清浄機の集塵フィルターを示す斜視図
【図１５】本発明の実施形態の空気清浄機のフィルター押え枠を示す斜視図
【図１６】本発明の実施形態の空気清浄機の空気清浄用フィルターユニットの枠体を示す斜視図
【図１７】本発明の実施形態の空気清浄機の空気清浄用フィルターユニットの枠体とプレイフィルターの結合状態を示す斜視図
【符号の説明】
【００６９】
１    空気清浄機
１０    本体部
１２    前面パネル
１３    吸気口
１４    側面吸気口
１５    操作パネル
２０    空気清浄用フィルターユニット
２１    加湿部
２２    加湿フィルター
２３    トレイ
２５    送風機
２６    イオン発生装置
２７    通気口
２８    通気パネル
２９    第１吹出口
３０    第２吹出口
３１    通気路
３２    空間部
３３    ダンパー
４０    制御部
４１    人体センサー
４２    埃センサー
４３    臭いセンサー
５２    プレフィルター
５３    フィルター押え枠
５４    脱臭フィルター
５５    集塵フィルター
【図１】
2006046729.tif 000003
【図２】
2006046729.tif 000004
【図３】
2006046729.tif 000005
【図４】
2006046729.tif 000006
【図５】
2006046729.tif 000007
【図６】
2006046729.tif 000008
【図７】
2006046729.tif 000009
【図８】
2006046729.tif 000010
【図９】
2006046729.tif 000011
【図１０】
2006046729.tif 000012
【図１１】
2006046729.tif 000013
【図１２】
2006046729.tif 000014
【図１３】
2006046729.tif 000015
【図１４】
2006046729.tif 000016
【図１５】
2006046729.tif 000017
【図１６】
2006046729.tif 000018
【図１７】
2006046729.tif 000019